(57)【要約】【課題】被載置部の上に安定的且つ好適に載置可能で、検査具４０、５０等を干渉することなく好適に収納保持できる検査具等の保持具を提供すること。【解決手段】検査具４０、５０等を収納保持する保持具であって、安定的に置くことができる複数の基部１０と、その各基部１０上に設けられ検査具４０、５０等を個別に保持することができる保持部２０と、保持される検査具４０、５０等同士が干渉しないように基部と基部の間を所要の間隔をあけて連結する連結部３０とを具備する。【選択図】図１
2006263906.tif 000002
【特許請求の範囲】
【請求項１】
検査具等を収納保持する保持具であって、
安定的に置くことができる複数の基部と、
該各基部上に設けられ検査具等を個別に保持することができる保持部と、
保持される検査具等同士が干渉しないように前記基部と基部の間を所要の間隔をあけて連結する連結部とを具備することを特徴とする検査具等の保持具。
【請求項２】
前記基部に対して前記連結部が放射状に連結できるように、該基部の外周に所要の間隔をあけて複数の被連結部が設けられていることを特徴とする請求項１記載検査具等の保持具。
【請求項３】
少なくとも３つの前記基部を具備することを特徴とする請求項１又は２記載の検査具等の保持具。
【請求項４】
複数の前記基部と前記連結部とが着脱容易に連結され、前記保持部を適宜に増減設できることを特徴とする請求項１、２又は３記載の検査具等の保持具。
【請求項５】
前記連結部が棒状部材によって形成され、該棒状部材の各端部に各基部が固定できることを特徴とする請求項１、２、３又は４記載検査具等の保持具。
【請求項６】
少なくとも２つの前記連結部が交差して固定され、各連結部の各端部に前記基部が固定されていることで少なくとも３つの前記保持部が設けられていることを特徴とする請求項１、２、３、４又は５記載の検査具等の保持具。
【請求項７】
前記保持部が筒状に立設され、検査具等の一部が挿入されることで該検査具等を立てた状態で保持することを特徴とする請求項１、２、３、４、５又は６記載の検査具等の保持具。
【請求項８】
前記保持部は、検査具等を構成する材料よりも硬度の低い材質で設けられていることを特徴とする請求項１、２、３、４、５、６又は７記載の検査具等の保持具。
【請求項９】
前記保持部の内部に挿入された検査具等を保護するために緩衝材が配置されたことを特徴とする請求項１、２、３、４、５、６、７又は８記載の検査具等の保持具。
【発明の詳細な説明】
【技術分野】
【０００１】
本発明は、検査具等を干渉することなく好適に収納保持する保持具に関する。
【背景技術】
【０００２】
検査具等の保管をする場合、使用頻度が高くないものであれば、個々のケースに収納されて、狂いが生じないように好適に管理される場合が多い。なお、検査具としては、ノギスやマイクロメータ、或いは種々のゲージがある。
しかし、頻繁に使用する検査具等にあっては、作業台又は収納ラックの上や机の引き出しの中などに無造作に放置されがちである。そのため、検査具等が破損したり、狂いを生じてしまうようなアクシデントが発生し易い。特に、複数の検査具を使用する作業現場では、検査具同士が重なり合った状態に置かれ、相互に傷をつけてしまう場合がある。また、整理が良くないために、本来の作業効率が悪くなるという問題もある。
【０００３】
検査具等を干渉することなく好適に収納保持する保持具としては、上端が傾斜した切口面からなる筒状体を複数個並立してなる「ウィルキー掛け」が提案されている。この「ウィルキー掛け」は、固定された柵状体に複数の筒状体を所定の間隔をあけて立設させた状態に固定したものである。（特許文献１参照）。
しかしながら、この「ウィルキー掛け」は、床などに固定された柵状体に設けられたものである。このため、ノギスやマイクロメータといった検査具を、作業台等の被載置部の上に整理して保持するような場合には適用できない。また、固定されているから、自由度がなく、検査具等が増えた場合には対応することができない。
【特許文献１】実開昭５６−２０７８０号公報（第１頁、第２図）
【発明の開示】
【発明が解決しようとする課題】
【０００４】
検査具等の保持具に関して解決しようとする問題点は、ノギスやマイクロメータといった複数の検査具等を、干渉することなく被載置部の上に整理して好適に保持することができない点にある。
そこで、本発明の目的は、被載置部の上に安定的且つ好適に載置可能で、検査具等を干渉することなく好適に収納保持できる検査具等の保持具を提供することにある。
【課題を解決するための手段】
【０００５】
本発明は、上記目的を達成するために次の構成を備える。
本発明にかかる検査具等の保持具の一形態によれば、検査具等を収納保持する保持具であって、安定的に置くことができる複数の基部と、該各基部上に設けられ検査具等を個別に保持することができる保持部と、保持される検査具等同士が干渉しないように前記複数の基部を所定の間隔をあけて連結する連結部とを具備することを特徴とする。
また、本発明にかかる検査具等の保持具の一形態によれば、前記基部に対して前記連結部が放射状に連結できるように、該基部の外周に所要の間隔をあけて複数の被連結部が設けられていることを特徴とすることができる。
また、本発明にかかる検査具等の保持具の一形態によれば、少なくとも３つの前記基部を具備することを特徴とすることができる。
【０００６】
複数の前記基部と前記連結部とが着脱容易に連結され、前記保持部を適宜に増減設できることを特徴とすることができる。
また、本発明にかかる検査具等の保持具の一形態によれば、前記連結部は棒状部材によって形成され、該棒状部材の各端部に各基部が固定されていることを特徴とすることができる。
また、本発明にかかる検査具等の保持具の一形態によれば、少なくとも２つの前記連結部が交差して固定され、各連結部の各端部に前記基部が固定されていることで少なくとも３つの前記保持部が設けられていることを特徴とすることができる。
【０００７】
また、本発明にかかる検査具等の保持具の一形態によれば、前記保持部が筒状に立設され、検査具等の一部が挿入されることで該検査具等を立てた状態で保持することを特徴とすることができる。
また、本発明にかかる検査具等の保持具の一形態によれば、前記保持部は、検査具等を構成する材料よりも硬度の低い材質で設けられていることを特徴とすることができる。
また、本発明にかかる検査具等の保持具の一形態によれば、前記保持部の内部に挿入された検査具等を保護するために緩衝材が配置されたことを特徴とすることができる。
【発明の効果】
【０００８】
本発明の検査具等の保持具によれば、検査具等の保持部を備える基部と基部とのスパンを、連結部が介在することで大きくすることができる。このため、被載置部の上に安定的且つ好適に載置可能で、検査具等を干渉することなく好適に収納保持できるという有利な効果を奏する。
【発明を実施するための最良の形態】
【０００９】
以下、本発明にかかる検査具等の保持具の最良の形態の一例を添付図面（図１〜５）と共に詳細に説明する。図１は本発明にかかる検査具等の保持具の使用状態を示す斜視図である。図２は本発明にかかる検査具等の保持具の平面図であり、図３は正面図である。また、図４は基部と保持部の詳細を示す断面図である。図５は２つの連結部の交差部分を詳細に示す平面図である。
本形態例の検査具等の保持具は、主にノギス４０やマイクロメータ５０を収納保持するものである。なお、各種のゲージ、工具５５や筆記具等を立てて保管する場合に用いることもできる。
また、本形態例では被保持物を立てた状態で保持する形態となっているが、本発明はこれに限定されるものではなく被保持物を保持する形態は種々考えられる。
【００１０】
１０は基部であり、安定的に置くことができる形態に設けられている。複数が配されている。本形態例では下面が平坦な面に形成されており、好適に置くことができる。
また、安定的に置くためには所定の重量が必要であり、例えば鉄材又はステンレススチール等で形成することができる。なお、重量を確保するために所定の体積を備えている。また、表面処理として、鉄材の場合はメッキをすればよい。
また、本形態例では平面形状が円形で安定的な高さの円柱状に設けられているが、これに限らず平面形状が四角や六角の多角形等の他の形状でもよい。さらに安定的に被載置部の上に載置するためには、適宜に脚を設ける等、周知慣用技術或いは公知技術を適宜選択的に採用すればよい。基部１０をより大きく形成することで安定性を高めてもよい。
【００１１】
２０は保持部であり、各基部１０上に設けられている。この保持部２０は、検査具等を個別に保持することができるように設けられている。これは検査具等同士が干渉することなく保持部２０に一つずつ保持されるようにするためである。
この保持部２０は、筒状に設けられており、立設された状態に固定されている。図１に示すように検査具等の一部が挿入されることで、その検査具等を立てた状態で保持することができる形態となっている。
【００１２】
また、本形態例では保持部２０は円筒状と角筒状の二種類が設けられており、収納される検査具の種類に応じて高さが適宜に設定されている。本形態例では円筒状の保持部２０にはマイクロメータ５０が、角筒状の保持部２０にはノギス４０が保持されているが、これに限定されない。検査具等同士が干渉しなければ、ノギス４０を円筒状の保持部２０に入れて保持してもよいのは勿論である。
この保持部２０の形状は、保持される物の形状に応じて適宜設定することができる。検査具等が容易に挿入でき、ガタが必要以上にない程度の広さを備えるように適宜設計すればよい。
また、特に保持部２０の上端の形状は、被保持物である検査具等が好適に保持されるように適宜に形成することができる。例えば、図４に示すように円筒状の保持部２０の場合、挿入される物（例えばマイクロメータ５０）の形状に合わせてスリット２２を形成してもよい。これにより、マイクロメータが保持部２０内で回転することを防止でき、好適に保持できる。
【００１３】
また、この保持部２０は、検査具等を構成する材料よりも硬度の低い材質で設けられていると良い。具体的にこの保持部２０の材質は、アルミニウム材、又はプラスチック等を用いることができる。このような柔らかい材質によれば、検査具等を傷つけることがない。
さらに、磁気が生じない材質を用いるとよい。これは、磁気を生じるものはその磁力によってゴミを吸い寄せてしまい、そのゴミの付着が検査具等の精度を低下させる原因となるためである。
また、複数の保持部２０について、色分けをして、保持すべき物と対応させて識別できるようにしてもよい。さらに、保持部２０の外周にリング状等の溝や任意の形状の切欠きを設けて、各保持部２０を識別するようにしてもよい。
また、保持部２０の高さを、保持すべき物と対応させて変更・調整できるように、その保持部２０について、延長用の筒材を着脱できるようにしてもよい。
【００１４】
また、保持部２０は、図４に示すように、基部１０の上に固定されている。さらに詳細には基部１０の上部に形成された小径部１２に保持部２０の下端部が嵌って、ボルト１４とナット１６によって固定されている。
保持部２０の基部１０に対する固定方法としてはこれに限られるものではなく、圧入や接着、溶着等を適宜選択的に採用することができる。
また、２４は緩衝材であり、保持部２０の内部に挿入される検査具等を保護するために、本形態例では保持部２０の筒状体の底の部分に配置されている。これに限らず、緩衝材（クッション）２４を保持部２０の内側の適切な部位に適宜選択的に配してもよい。これにより、検査具等を適切に保護することができる。
【００１５】
３０は連結部であり、保持される検査具同士が干渉しないように複数の基部１０を所定の間隔をあけて連結する。
本形態例では、３つの連結部３０、３１、３２が２箇所で直角に交差（直交）して固定され、各連結部３０、３１、３２の各端部に基部１０が固定されていることで６つの保持部２０が設けられている。
本形態例でも少なくとも２つの連結部３０、３２が交差して固定され、各連結部３０、３２の各端部に基部１０が固定された状態になっている。これにより、少なくとも３つの保持部２０が設けられたことになり、倒れにくくなる。なお、本形態例のように、２つの連結部３０、３２の各両端部に基部１０が固定されることで４つの保持部２０が設けられる形態になると、さらに全ての方向について倒れにくくなり、安定性が向上する。
【００１６】
また、図５に示すように、複数の基部１０と連結部３０とが着脱容易に連結されることで、保持部２０を適宜に増減設できる。連結部３０が棒状部材によって形成され、その棒状部材の各端部に各基部１０が固定されている。図１の形態からさらに枝を伸ばした状態に連結部３０と基部１０を繋ぎ、保持部２０を増設することができる。また、逆に保持部２０の数を減らすことも容易にできる。
本形態例では、基部１０に連結部３０との連結用の連結孔１８が設けられている。連結部３０に設けられたボルト３４とナット３６によって、連結部３０に基部１０を固定している。なお、連結手段はこれに限らず、他の周知慣用技術或いは公知技術を適宜選択的に採用すればよい。
【００１７】
また、本形態例では、第１の連結部３０と第２の連結部３２が直交状態に連結されている部分も、図５に示すように、ボルトとナットによって固定されている。さらに詳細には、第１の連結部３０には中間部で軸線に直交する方向に貫通孔３８が設けられている。その貫通孔３８に総ネジ状の第２の連結部３２が挿通されている。そして、第２の連結部３０に螺合したナット３９が第１の連結部３０を挟んで締付けられ、第１の連結部３０と第２の連結部３２とが直交する状態に固定されている。
本形態例の第２の連結部３２は総ネジ状に設けられているため、第１の連結部３０の固定位置を適宜変更できる。これにより、保持部２０同士の間隔を適宜に調整でき、検査具等が干渉することを好適に防止できる。
【００１８】
また、第１の連結部３０と第２の連結部３２の形態及び固定手段は本形態例に限定されるものでない。一方に対して他方をネジ込む形態や、第１の連結部３０の貫通孔３８に直交する方向へ穿設されたネジ孔からその貫通孔３８内へ突出するネジで、貫通孔３８に挿通された第２の連結部３２を適宜所望する位置で止める形態で固定してもよい。さらに、この固定手段は、割りピンを用いるなど、他の周知慣用技術或いは公知技術を適宜選択的に採用すればよい。
また、７０は保護管であり、総ネジ状の第２の連結部３２を保護するように嵌っている。例えば、樹脂製のパイプを用いることができる。
【００１９】
次ぎに、本発明にかかる検査具等の保持具の他の形態例を添付図面（図６、７）と共に詳細に説明する。図６は本発明にかかる検査具等の保持具の他の形態例を示す斜視図である。また、図７は図６の形態例の基部と保持部の詳細を示す一部断面を含む斜視図である。
この形態例も、検査具等を収納保持する保持具であって、安定的に置くことができる複数の基部１０と、その各基部１０上に設けられ検査具等を個別に保持することができる保持部２０と、保持される検査具等同士が干渉しないように基部１０と基部１０の間を所要の間隔をあけて連結する連結部３３とを具備し、図１〜５に示した形態例と同様の構成を備え、同様の作用効果を奏する。
【００２０】
そして、本形態例は具体的に、基部１０に対して連結部３３が放射状に連結できるように、その基部１０の外周に所要の間隔をあけて複数の被連結部３５が設けられている。また、少なくとも３つの基部１０を具備することで、安定的に載置することができる。なお、図６では、７つの基部１０が連結された状態となっている。
本形態例の被連結部３５は、雌ネジ部となっており、ナット３７が回り止めとして連結部３３の雄ネジ部に螺合されている。なお、この連結手段は、これに限定されるものではなく、差し込むことで連結できる固定手段やワンタッチで固着できる手段など、既知の連結手段を適宜選択的に採用すればよい。
また、図７に示すように基部１０の上部小径部１２には周溝１３が形成されており、その周溝１３へ、保持部２０側壁の貫通ネジ孔に螺合されたストッパネジ２１の先端部が突き出て嵌っている。これにより、基部１０に対して保持部２０が離脱可能に固定されている。
【００２１】
以上の形態例では、検査具等を立てた状態で保持する形態について説明したが、本発明はこれに限らず、例えば、検査具等を傾斜させて保持するように保持部２０を形成してもよい。
以上、本発明につき好適な形態例を挙げて種々説明してきたが、本発明はこの形態例に限定されるものではなく、発明の精神を逸脱しない範囲内で多くの改変を施し得るのは勿論のことである。
【図面の簡単な説明】
【００２２】
【図１】本発明に係る検査具等の保持具の一形態を示す斜視図である。
【図２】本発明に係る検査具等の保持具の一形態を示す平面図である。
【図３】本発明に係る検査具等の保持具の一形態を示す正面図である。
【図４】基部と保持部の詳細を示す断面図である。
【図５】２つの連結部の交差部分を詳細に示す平面図である。
【図６】本発明に係る検査具等の保持具の他の形態例を示す斜視図である。
【図７】図６の基部と保持部の詳細を示す一部断面を含む斜視図である。
【符号の説明】
【００２３】
１０  基部
２０  保持部
３０  連結部
３１  連結部
３２  連結部
４０  ノギス
５０  マイクロメータ
【図１】
2006263906.tif 000003
【図２】
2006263906.tif 000004
【図３】
2006263906.tif 000005
【図４】
2006263906.tif 000006
【図５】
2006263906.tif 000007
【図６】
2006263906.tif 000008
【図７】
2006263906.tif 000009